(57)【特許請求の範囲】
【請求項１】
親綱係留用支柱を立設するために型枠内面側に取付固定される金具であって、型枠内面に接合する面を備えた台座部と、該台座部から型枠内方へ突出し、親綱係留用支柱の挿通孔を備えた支柱受板と、該支柱受板の下面側から下方へ突出して設けられた固定用ピンと、前記台座部に設けた金具挿通用開口部とで構成したことを特徴とする親綱係留用支柱の取付金具。
【請求項２】
前記固定用ピンが、雄螺子部とピン状部材の嵌合孔とを有する型枠用金物の前記嵌合孔に脱着自在に嵌合し得るものである前記請求項１に記載の親綱係留用支柱の取付金具。
【請求項３】
雄螺子部とピン状部材の嵌合孔とを有する型枠用金物を型枠内面側の上下二箇所に配置し、前記型枠用金物の雄螺子部を型枠外面側へ突出させて雌螺子部材を螺合させることで型枠用金物を型枠内面側の上下二箇所へ締結固定し、請求項１に記載の取付金具を二つ準備して各台座部を型枠内面側に接合させると共に、各固定用ピンを前記上下の型枠用金物の嵌合孔へ脱着自在に嵌合させ、上下二箇所の取付金具の支柱受板に設けられた挿通孔へ親綱係留用の支柱を挿し込んで立設したことを特徴とする親綱係留用支柱の取付構造。
【請求項４】
親綱係留用の支柱が梁型枠の両端側にそれぞれ設けられ、これらの支柱間に親綱が係留されている前記請求項３に記載の親綱係留用支柱の取付構造。
【請求項５】
親綱係留用の支柱が梁型枠の両端側と、その中間とに設けられており、これらの支柱間にそれぞれ親綱が係留されている前記請求項３に記載の親綱係留用支柱の取付構造。
【発明の詳細な説明】
【技術分野】
【０００１】
本発明は、建物の最上階を含む全ての施工階における梁や床スラブの型枠建て込み時にあって、親綱係留用の支柱を、市販されている型枠用金物を利用して型枠に脱着自在に取り付けるようにした技術に関するものである。
【背景技術】
【０００２】
通常、建設現場においては、高所作業を行う場合は、親綱を設置し、作業員の安全ベルトに連結した命綱の他端側を前記親綱にフック部材で連結して作業することが義務付けられている。これにより、作業員は命綱のフック部材が親綱に繋がった状態で、移動しながら安全に作業をすることができる。
特許文献１及び２は、建設現場における親綱を係留する技術を示すものである。
【０００３】
特許文献１に示す技術は、建設中の建物の屋上に突き出た柱の主筋に、安全ロープ（親綱）係留用の取付器具を装着し、柱と柱の取付器具のロープ係留部材どうしを安全ロープで繋ぐようにしている。安全ロープ係留用の取付器具は、パイプ状の本体部と、この本体部の外周に設けられたロープ係留部材と、パイプ状の本体部の外周に羅着されてパイプ内へ貫通する締結ボルトとで構成されている。柱の主筋にパイプ状の本体部を外嵌装着し、締結ボルトを締め込んで前記主筋に固定するようにしている。
【０００４】
特許文献２に示す親綱張設用支柱の技術は、角パイプ材から成る支柱本体の下部側に鉄骨の水平エッジ部（Ｈ型鋼のフランジ）に取り付けられるクランプを設け、支柱本体の上端側に親綱係合手段としてのループ部を設けている。取付け用クランプは、コの字形側板と、両側板間に架設された上側水平板と、この上側水平板を垂直に螺合貫通する２本のクランプ用ボルトとから構成されている。コの字形側板の下側突出部上辺と２本のクランプ用ボルトとの間で鉄骨梁の水平エッジ部などを挟持固定するようにしている。
この特許文献２の親綱張設用支柱は、取付け用クランプを利用して鉄骨梁の水平エッジ部に立設される。そして、親綱と呼称されている親綱の端部を親綱係合手段の上側ループ部に結び付けたり、当該親綱の途中部分を前記上側ループ部に挿通することにより、親綱を鉄骨梁に沿って張設するようにしている。
【０００５】
また従来にあっては、建設中の建物の周囲に構築した足場（ビデ足場、単管足場、丸太足場等）の対向する面どうしの間に、親綱を張り巡らし、これに作業員の安全ベルトの命綱をフックで繋いで、作業を行っていた。
【先行技術文献】
【特許文献】
【０００６】
【特許文献１】特開平６−９８９４５号公報
【特許文献２】特開平８−１００５３５号公報
【発明の概要】
【発明が解決しようとする課題】
【０００７】
前記特許文献１に示す技術では、建設中の建物の屋上に突き出た柱の主筋に、安全ロープ係留用の取付器具を装着している。つまり、建設中の建物の屋上に、柱の主筋が突き出ていることが取付条件である。そのため、建物の最上階の梁及び床スラブを構築するための型枠の建込作業の場合には、主筋が突き出ておらず、親綱を設置することができないという欠点があった。
【０００８】
また前記特許文献２に示す技術では、鉄骨の水平エッジ部（Ｈ型鋼のフランジ）のように、剛性が高くてコ字状のクランプ部に挟持することのできる部分が存在していることが取付条件である。ところが、鉄筋コンクリート建物の最上階の梁及び床スラブの型枠建込作業時には、このような鉄骨の梁は存在しておらず、やはり、この特許文献２の技術を、鉄筋コンクリート建物の梁及び床スラブの型枠建込作業時の親綱設置に採用することはできないという欠点があった。
【０００９】
更に、対抗する足場間に親綱を張設する従来技術にあっては、建物のスパンが長い場合には、親綱の途中に弛みが発生するので、落下防止の親綱の本来の機能が損なわれるという問題があった。そのため、従来では、対向する親綱どうしの中間部をクロスに連携して弛みを防止するようにしているが、それでも不十分であり、新たな対策が望まれていた。
【００１０】
そこで、本発明は、従来の前記問題点に鑑みてこれを改良除去したものであって、建物の最上階を含む全ての施工階の梁及び床スラブ建込に際し、市販されている型枠用金物を利用して型枠に親綱係留用の支柱を立設することのできる取付金具及びその取付構造を提供せんとするものである。
【課題を解決するための手段】
【００１１】
前記課題を解決するために本発明が採用した請求項１の手段は、親綱係留用支柱を立設するために型枠内面側に取付固定される金具であって、型枠内面に接合する面を備えた台座部と、該台座部から型枠内方へ突出し、親綱係留用支柱の挿通孔を備えた支柱受板と、該支柱受板の下面側から下方へ突出して設けられた固定用ピンと、前記台座部に設けた金具挿通用開口部とで構成したことを特徴とする親綱係留用支柱の取付金具である。
【００１２】
前記課題を解決するために本発明が採用した請求項２の手段は、前記固定用ピンが、雄螺子部とピン状部材の嵌合孔とを有する型枠用金物の前記嵌合孔に脱着自在に嵌合し得るものである前記請求項１に記載の親綱係留用支柱の取付金具である。
【００１３】
前記課題を解決するために本発明が採用した請求項３の手段は、雄螺子部とピン状部材の嵌合孔とを有する型枠用金物を型枠内面側の上下二箇所に配置し、前記型枠用金物の雄螺子部を型枠外面側へ突出させて雌螺子部材を螺合させることで型枠用金物を型枠内面側の上下二箇所へ締結固定し、請求項１に記載の取付金具を二つ準備して各台座部を型枠内面側に接合させると共に、各固定用ピンを前記上下の型枠用金物の嵌合孔へ脱着自在に嵌合させ、上下二箇所の取付金具の支柱受板に設けられた挿通孔へ親綱係留用の支柱を挿し込んで立設したことを特徴とする親綱係留用支柱の取付構造である。
【００１４】
前記課題を解決するために本発明が採用した請求項４の手段は、親綱係留用の支柱が梁型枠の両端側にそれぞれ設けられ、これらの支柱間に親綱が係留されている前記請求項３に記載の親綱係留用支柱の取付構造である。
【００１５】
前記課題を解決するために本発明が採用した請求項５の手段は、親綱係留用の支柱が梁型枠の両端側と、その中間とに設けられており、これらの支柱間にそれぞれ親綱が係留されている前記請求項３に記載の親綱係留用支柱の取付構造である。
【発明の効果】
【００１６】
請求項１の発明の取付金具は、型枠内面に接合する面を備えた台座部と、この台座部から型枠内方へ突出し、親綱係留用支柱の挿通孔を備えた支柱受板とを有している。また、この支柱受板の下面側から下方へ突出して設けられた固定用ピンと、前記台座部に設けた金具挿通用開口部とを有している。
【００１７】
この請求項１に記載の取付金具は、請求項２に記載の型枠用金物を利用して型枠へ取り付けられる。この型枠用金物は、例えば、ハリカンと呼称されて市販されているものである。
【００１８】
親綱係留用支柱取付金具の施工は、請求項３に示すように、例えば、市販されているハリカンの雄螺子部を、型枠内面側から外部へ挿通させて、型枠外部において、雌螺子部を有するくさび式本体等の締め金物を羅着させて固定する。次に、ハリカンの嵌合孔へ請求項１に記載の取付金具の固定用ピンを嵌合させる。このとき取付金具の台座部は、型枠内面へ面接合している。これにより、取付金具を型枠内面側へ固定することが可能である。
取付金具は、型枠内面の上下二箇所において固定する。そして、上下の取付金具の支柱受板に設けられた挿通孔へ親綱係留用の支柱を挿通させてその下端側を型枠の梁床上面へ当接させ、親綱係留用の支柱を型枠へ立設する。
【００１９】
親綱係留用の支柱は、請求項４に示すように、梁型枠の両端側に設けられるか、または請求項５に示すように、梁型枠の両端側とその中間においても設けられる。然る後は、これらの支柱間に跨って親綱を係留すればよい。
【００２０】
このように、本発明によれば、建設中の建物の最上階を含む全ての施工階の梁及び床スラブを設置する場合に、梁型枠に設置した親綱係留用支柱どうしに跨って親綱としての親綱を弛むことなく張設することが可能である。
しかも、設置は市販されているハリカン等の型枠用金物を利用して行うことができ、取付金具自体も基本的にはＬ型の金属板を加工成形するだけで十分であって簡単な構成であるため、安価に提供することができ、全体として親綱の設置を低コストで実施することが可能である。また柱と柱の間のスパン（梁長さ）が長い場合であっても、その途中にも親綱係留用の支柱を立設することができるので、親綱が途中で弛むということもない。
【図面の簡単な説明】
【００２１】
【図１】本発明の一実施の形態に係る親綱係留用支柱取付金具の斜視図である。
【図２】本発明の一実施の形態に係る親綱係留用支柱取付金具に、支柱を取り付けた状態を示す正面図である。
【図３】本発明の一実施の形態に係る親綱係留用支柱と、取付金具と、型枠と、型枠用金物との関係を示すために型枠を横断面して下方から見た図である。
【図４】本発明の一実施の形態に係る親綱係留用支柱と、取付金具と、型枠と、型枠用金物との関係を示す縦断面図である。
【図５】本発明の一実施の形態に係るものであり、親綱係留用支柱を立設した梁型枠と床スラブ型枠との関係を示す縦断面図である。
【図６】本発明の一実施の形態に係るものであり、親綱支柱を立設した状態の建物全体の型枠構造を示す縦断面図である。
【図７】本発明の一実施の形態に係るものであり、親綱係留用支柱を立設した状態を示す柱と梁の連携部分の斜視図である。
【図８】本発明の一実施の形態に係るものであり、市販されているハリカンと呼称されている型枠用金物を示す平面図である。
【発明を実施するための形態】
【００２２】
以下に、本発明の構成を図面に示す一実施の形態に基づいて説明すると次の通りである。図１は、親綱係留用支柱２（図２乃至図７を参照）を立設するために型枠内面側に取付固定される取付金具１を示す斜視図である。
この取付金具１は、型枠内面に接合する面を備えた円板状の台座部３と、この台座部３から型枠内方へ向けて水平方向へ突出する支柱受板４とを有している。なお、台座部３は、円板状でなくても矩形状、その他の多角形状であってもよく、台座部３へ面接合する部分があればよい。
【００２３】
支柱受板４には、親綱係留用支柱２を挿通するための挿通孔５が穿設されている。また支柱受板４の下面側で台座部３寄りの位置には、固定用ピン６が下方へ突出して設けられている。更に、支柱受板４の下面側の両端寄りには、該支柱受板４の垂下りを防止するための補強用の支承板７，７が設けられており、その背面側は前記台座部３に溶接されている。更にまた、前記台座部３の固定用ピン６に対向する部分には、型枠金具９（図８参照）を挿通するための開口部８が設けられている。
【００２４】
このように構成された親綱係留用支柱２の取付金具１は、図８に示す、ハリカンと呼称されている市販の型枠用金物９を利用して型枠内面側へ取り付け固定されるようになっている。ハリカンの型枠用金物９は、同図に示すように、雄螺子部１０と、前記固定用ピン６と嵌合する嵌合孔１１が設けられた連結部１２とで構成されている。嵌合孔１１には、内蔵されたスプリング（図示せず）により、嵌合孔中心へ向けて突出退入自在なロック部材１３が四個配置されている。
【００２５】
このハリカン型枠用金物９は、通常は梁型枠において、梁間隔を固定するための部材の一つとして使用されるものであり、コ字状のセパレータと連携して取り付けられ、梁間隔を一定に固定する。セパレータと分離形式にしたのは、梁鉄筋を梁型枠の外で組み上げ、その後で梁鉄筋の全体をクレーン等で吊り上げて梁型枠内へ設置するので、先にセパレータがあると干渉して組み上げた梁鉄筋を型枠内へ設置できないからである。梁鉄筋を型枠内へ配置した後で、前記セパレータの両端側を型枠用金物９の嵌合孔へ嵌合させることで、梁間隔を一定にするようにしている。本発明は、このような市販されているハリカンという型枠用金物９を利用するものである。
【００２６】
次に、このように構成された取付金具１を用いて親綱係留用支柱２を立設する場合の施工要領を説明する。先ず、図３及び図４に示すように、親綱係留用支柱２を立設する位置の型枠１４の上下二箇所にドリルで丸穴を開ける。そして、この丸穴にハリカン型枠用金物９の雄螺子部１０を型枠内面側から外部へ挿通させ、型枠外部において、くさび式本体等の雌螺子部を有する締め金物１５を螺合させて取付金具１を型枠内面側へ固定する。
続いて、型枠１４の外部側において、桟木１６に当接させて鋼管バタ角１７を締め金物１５の上下に配置し、ダブルの金物１８を用いて前記鋼管バタ角１７を締固め、型枠１４の通りを一直線になるように確保すると共に、梁コンクリート打設時に型枠１４がバレないように強度を確保する。なお、図３及び図４において、符号１９は型枠１４のベニヤ合板又は化粧合板である。
【００２７】
然る後は、親綱係留用支柱２の取付金具１を準備し、その開口部８にハリカン型枠用金物９を挿通させ、その嵌合孔１１に取付金具１の支柱受板４の下面側に突設した固定用ピン６を嵌合させる。これにより、台座部３は型枠１４の内面側に面接合して配置される。なお、固定用ピン６の外周面には環状溝（図示せず）が形成されており、前記ハリカン型枠用金物９のロック部材１３と嵌合して不用意な逸脱を防止するようにしている。強制的に取り外すときは、ロック部材１３が退入動作をするので、取り外しは可能である。
【００２８】
このようにしてワンタッチ動作で取付金具１をハリカン型枠用金物９へ取り付けた後は、上下の取付金具１，１の支柱受板４の挿通孔５へ親綱係留用支柱２を挿し込み、その下端側を梁床上面へ当接させればよい。これにより、図５に示すように、親綱係留用支柱２を型枠内面側へリジッドに固定することが可能である。
【００２９】
親綱係留用支柱２は、図６及び図７に示すように、梁型枠１４の両端側において立設し、これらの親綱支柱２に親綱係留用金具２０を外嵌装着してボルト等で締結し、その環状の係留部に２１に親綱２２の一端側を繋げばよい。また梁型枠１４にセパレータ取り付け用のハリカン型枠用金物９を利用して取付金具１を型枠内面側へ立設するものであり、梁型枠のスパンが長い場合であってもその途中に立設することも可能であり、親綱２２が弛むということがない。
【００３０】
以上の説明から明らかなように、本発明では、図６及び図７に示す如く、柱の主筋が突き出ていない建物の最上階の梁及び床スラブ型枠の建込みはもとより、最上階より下の階を施行するに際しても、親綱係留用支柱２を梁型枠１４へ立設して親綱２２を張設することが可能である。これにより、作業員は安心して梁や床スラブの建込作業を行うことが可能である。
なお、建込が完了した後は、これらの親綱係留用支柱２と、その取付金具１を撤去し、対向する型枠内面側のハリカン型枠用金物９どうしに跨ってセパレータを取り付け、梁型枠の間隔を一定に保持し、コンクリートの打設作業を行えばよい。
【００３１】
ところで、図６に示すように、長さ７．２ｍの梁型枠１４の両端側に親綱係留用支柱２を立設して両者間に親綱２２を張設し、これに命綱をフックで繋いで重さ７０Ｋｇの重量物を落下させた実験結果によれば、型枠１４、取付金具１、ハリカン型枠用金物９のいずれの部材も十分に落下荷重を支えることができ、何ら損傷することもなかった。従って、本発明の取付金具及び親綱係留用金具の取付構造は、実用に供し得るものであることが分かった。
【産業上の利用可能性】
【００３２】
ところで、本発明は上述した実施の形態に限定されるものではなく、適宜の変更が可能である。例えば、親綱係留用支柱の取付金物は、金属板をＬ字状に折り曲げて形成し、一方を台座部とし、他方を支柱受板としてもよい。また支柱は、単管等のパイプ材や角柱パイプ、丸棒、角柱棒等を利用することが可能である。
【符号の説明】
【００３３】
１…親綱係留用支柱の取付金具
２…親綱係留用支柱
３…台座部
４…支柱受板
５…挿通孔
６…固定用ピン
７…支承板
８…開口部
９…型枠用金物（ハリカン）
１０…雄螺子部
１１…嵌合孔
１４…梁型枠
１５…雌螺子部を有する締め金物
【要約】
【課題】建物の最上階を含む全ての施工階の梁及び床スラブの建込に際し、市販されている型枠用金物を利用して型枠に親綱係留用の支柱を立設する。
【解決手段】市販されているハリカンの雄螺子部を、型枠内面側から外部へ挿通させて、型枠外部において、雌螺子部を有するくさび式本体等の締め金物を羅着させて固定する。次に、ハリカンの嵌合孔へ親綱係留用支柱取付金具の固定用ピンを嵌合させて、取付金具を型枠内面側へ固定する。
取付金具は、型枠内面の上下二箇所において固定する。上下の取付金具の支柱受板に設けられた挿通孔へ親綱係留用の支柱を挿通させてその下端側を型枠の梁床上面へ当接させ、親綱係留用の支柱を型枠へ立設する。
【選択図】  図１【図１】
0005812554.tif 000002
【図２】
0005812554.tif 000003
【図３】
0005812554.tif 000004
【図４】
0005812554.tif 000005
【図５】
0005812554.tif 000006
【図６】
0005812554.tif 000007
【図７】
0005812554.tif 000008
【図８】
0005812554.tif 000009